(57)【要約】【課題】ワイヤーレスでありながら長時間着用していてもバージスラインをしっかり固定してバスト形状を長時間にわたって美しく保持できる、ワイヤータイプのブラジャーと同様のバスト整容効果を有し、しかも、在庫管理が簡単でありながら着用時のフィット感に優れる左右一対のカップを有する婦人下着を提供する。【解決手段】伸縮性の布地で構成された左右一対のカップ１２と、カップ１２のそれぞれの下部外周縁１２ａに沿って設けられた土台布１４又は前身頃布１４’と、カップ１２の下部外周縁１２ａ及び土台布１４又は前身頃布１４’のカップ対応縁１４ａ，１４ａ’とにそれぞれ縫合されて両者を間接的に接続するメッシュテープ１８とで構成されていることを特徴とする。【選択図】図１
2010275660.tif 000002
【特許請求の範囲】
【請求項１】
伸縮性の布地で構成された左右一対のカップと、
前記カップのそれぞれの下部外周縁に沿って設けられた土台布又は前身頃布と、
前記カップの下部外周縁及び前記土台布又は前記前身頃布のカップ対応縁とにそれぞれ縫合されて両者を接続するメッシュテープとで構成されていることを特徴とする婦人下着。
【請求項２】
前記メッシュテープにおける前記土台布又は前記前身頃側の接続部分は伸縮性を有する紐状のものであり、該紐状の接続部分が千鳥縫いにて前記土台布又は前記前身頃布に縫合されていることを特徴とする請求項１に記載の婦人下着。
【請求項３】
前記メッシュテープは、その長手方向両側縁に長手方向に伸縮性を有する縫合用の接続部分を有し、該接続部分間に伸縮性メッシュ部分が形成されていて該メッシュテープの伸縮性を長手方向に比べて短手方向をより大きくしたことを特徴とする請求項１または２に記載の婦人下着。
【請求項４】
前記メッシュテープにおける前記土台布又は前記前身頃側の接続部分は、その中央部分の伸縮性よりも脇側部分ならびに胸側部分の伸縮性をより小さくしたことを特徴とする請求項１から３の何れかに記載の婦人下着。
【発明の詳細な説明】
【技術分野】
【０００１】
本発明は、例えば、ブラジャーやキャミソールのような左右一対のカップを有する婦人下着の改良に関する。
【背景技術】
【０００２】
自分の身体をより美しく、より綺麗に見せたいという要望は、女性にとって古今東西変わらぬ一大関心事である。とりわけ、バストの形を綺麗に見せたいという要望は強く、従来から数多くのカップ付き婦人下着が下着メーカーによって開発され、提供されてきた。
【０００３】
ところで、カップ付きの婦人下着（以下、その代表例としてブラジャーを取り上げて説明する。）には大きく分けて２つの種類がある。１つは、カップの下縁（通常、バージスラインと呼ばれる箇所）にワイヤーを設けたワイヤー付きのブラジャーであり（特許文献１参照）、もう１つはこのようなワイヤーが存在しないワイヤーレス（ノンワイヤー）のブラジャーである（特許文献２参照）。
【０００４】
ワイヤー付きのブラジャーは、カップの下縁に沿って設けられたワイヤーをバストのバージスラインに沿って宛がうことによりバストを下方からしっかり支えてバストの形を美しく整え、しかも、長時間にわたってその美しいバスト形状を保持することが可能である。しかしながら、ワイヤーそのものが金属等の硬い材質によって形成されているため、着用時にワイヤーが肌に食い込んで苦痛を伴うという問題があった。
【０００５】
一方、ワイヤーレスのブラジャーの場合は、肌に食い込むワイヤーが存在しないことからソフトタッチ感覚となり、ある程度快適に着用することができるものの、長時間着用していると、（これは特にバストサイズが大きな女性に顕著であるが）カップが少しずつ摺り上がってきて、着用時にせっかく綺麗に作ったバージスラインが崩れてしまい、バストの形が崩れてしまうという問題があった。
【０００６】
その他、これはワイヤータイプのブラジャーとワイヤーレスのブラジャーとの双方における問題点であるが、着用時のフィット感の問題がある。すなわち、バストサイズは各人相違するが、下着のサイズ（特に、カップサイズ）を個人に合わせた数だけ揃えることなど到底出来ず、ある程度のサイズで纏めざるを得ない。そうすると、カップサイズとバストサイズとの間で微妙なずれが生じざるを得ず、特に長時間着用していると、フィット性と言う点で使用者の不満を解消することが出来なかった。
【０００７】
もちろん、カップサイズをきめ細かく設定することで着用感の改善効果はある程度見込めるものの、上記ずれに伴う不快感が完全に解消されるわけではないし、また、きめ細かなサイズ設定は、在庫管理が大変になってコストアップに繋がるという別の問題を招来する結果となる。
【０００８】
さらに、これは普段あまり意識されていないことではあるが、バストサイズは左右で異なるのが一般的で、中には、左側のバストと右側のバストとの間でその大きさがカップサイズ１つ分以上も異なる女性もいる。このような場合に、例えば、大きい側のバストサイズに合わせてブラジャーを選ぶと、小さい側のバストとブラジャーのカップとの間には当然隙間が生じるために、上述した着用時のフィット感を満足することなど到底できなくなるし、反対に、小さい側のバストサイズに合わせてブラジャーを選ぶと、大きい側のバストは形が潰れて見苦しくなるし、着用感も非常に悪いものとなる。
【０００９】
このような問題は、左右一対のカップを有する他の下着、例えば、キャミソール等においても同様である。
【先行技術文献】
【特許文献】
【００１０】
【特許文献１】特開２００８−２７４５３８号公報（図１）
【特許文献２】特開２００８−１６３４９０号公報（図１）
【発明の概要】
【発明が解決しようとする課題】
【００１１】
本願発明は、かかる従来の問題点に鑑みてなされたものであり、ワイヤーレスでありながら長時間着用していてもバージスラインをしっかり固定してバスト形状を長時間にわたって美しく保持できる、ワイヤータイプのブラジャーと同様のバスト整容効果を有し、しかも、在庫管理が簡単でありながらあたかもオーダーメイド品のような着用時のフィット感が得られる左右一対のカップを有する婦人下着を提供することにある。
【課題を解決するための手段】
【００１２】
請求項１に記載した発明は、「伸縮性の布地で構成された左右一対のカップ１２と、カップ１２のそれぞれの下部外周縁１２ａに沿って設けられた土台布１４又は前身頃布１４’と、カップ１２の下部外周縁１２ａ及び土台布１４又は前身頃布１４’のカップ対応縁１４ａ，１４ａ’とにそれぞれ縫合されて両者を接続するメッシュテープ１８とで構成されていることを特徴とする婦人下着１０，１０’」である。
【００１３】
請求項２に記載した発明は、請求項１において、「メッシュテープ１８における土台布１４又は前身頃１４’側の接続部分１８ｃは伸縮性を有する紐状のものであり、該紐状の接続部分１８ｃが千鳥縫いにて土台布１４又は前身頃布１４’に縫合されている」ことを特徴とする。
【００１４】
請求項３に記載した発明は、請求項１又は２における「メッシュテープ１８」に関し、「メッシュテープ１８は、その長手方向両側縁に長手方向に伸縮性を有する縫合用の接続部分１８ｂ，１８ｃを有し、該接続部分１８ｂ，１８ｃ間に伸縮性メッシュ部分１８ａが形成されていてメッシュテープ１８の伸縮性を長手方向Ｂに比べて短手方向Ａをより大きくした」ことを特徴とする。
【００１５】
請求項４に記載した発明は、請求項１〜３における「メッシュテープ１８」に関し、「土台布１４又は前身頃布１４’側の接続部分１８ｃは、その中央部分１８ｃイの伸縮性よりも脇側部分１８ｃロならびに胸側部分１８ｃハの伸縮性をより小さくした」ことを特徴とする。
【発明の効果】
【００１６】
請求項１に記載の発明によれば、カップが伸縮性を有する布地で形成されているので、バスト全体をそのカップサイズに関わらず包み込むことができる。
【００１７】
そして、このカップで包み込まれたバストのバージスラインが、メッシュテープと土台布または前身頃布との縫合部分によってしっかりと保型され、かつ、長時間の着用によりバストが上下左右に揺すられることがあってもメッシュテープの存在によってバストが丁度ハンモックのようにある程度の柔軟性を持って包み込まれて保持されるので、ワイヤータイプのようにバージスラインに食い込んで強く接触するようなことがなく、それでいて、次第に上方にずれてくるといった問題が生じることはなく、バストの形状を長時間に亘って保持できる。
【００１８】
また、請求項２に記載した発明によれば、「メッシュテープ１８における土台布１４又は前身頃１４’側の接続部分１８ｃは伸縮性を有する紐状のものであり、紐状の接続部分１８ｃが千鳥縫いにて土台布１４又は前身頃布１４’に縫合されている」ので、土台布１４側の接続部分１８ｃが伸縮性を有しつつその強度がより高められて、ソフトではあるがワイヤー的な役目を果たすようになる。したがって、この紐状の接続部分１８ｃがバージスラインにソフトではあるがしっかりと接触してバージスラインを保持し、ソフトカップであるにも拘わらず長時間の着用によりカップのずり上がりを防止する。
【００１９】
また、請求項３に記載した「メッシュテープ」は「接続部分間の伸縮性メッシュ部分がメッシュテープの伸縮性を長手方向に比べて短手方向をより大きくしている」ので、カップでバストを包んで肩紐でカップを吊り上げた時、長手方向に伸びの少ない「メッシュテープ」によってカップの吊り上げ効果が発揮されるのと同時にバストを包むカップの下部外周縁部分はメッシュテープにより前に迫り出すように伸びて自然な丸いバストを演出するようになる。
【００２０】
さらに、請求項４に記載した発明では、メッシュテープにおける土台布側の接続部分について、中央部分の伸縮性よりも脇側部分ならびに胸側部分の伸縮性をより小さくしているので、脇下や鳩尾部分の肉をカップ内に収容した後、当該カップ内の肉が外に流れ出ず、より綺麗なバストラインを形成できるようになる。
【図面の簡単な説明】
【００２１】
【図１】第１実施例にかかる婦人下着（ブラジャー）を着用した状態を示す斜視図である。
【図２】第１実施例にかかる婦人下着（ブラジャー）を裏側から見た状態を示す図である。
【図３】バストサイズの小さな女性が第１実施例にかかる婦人下着（ブラジャー）を着用した状態を示す斜視図である。
【図４】バストサイズの大きな女性が第１実施例にかかる婦人下着（ブラジャー）を着用した状態を示す斜視図である。
【図５】第２実施例にかかる婦人下着（キャミソール）を着用した状態を示す斜視図である。
【発明を実施するための形態】
【００２２】
以下、本発明を図面に従って説明する。本発明が適用された第１実施例の婦人下着１０は、一般に「ブラジャー」と呼ばれるもので、図１〜図２に示すように、左右一対のカップ１２と、土台布１４と、バック布１６と、メッシュテープ１８と、肩紐２０とで大略構成されている。
【００２３】
各カップ１２は、バストを覆う椀状の部材であり、表布２２と、表布２２の裏面側に設けられた裏布２４とで構成されている（本実施例では、表布２２と裏布２４との周囲をそれぞれ縫合することによりカップ１２が形成されている。）。
【００２４】
表布２２は、バストの下側を覆う略紡錘型の下側パネル２２ａと、バストの上側を覆う帯状の上側パネル２２ｂとを互いに縫着することによって椀状に形成されている。上側パネル２２ｂの上縁には、胸元が開くのを防止するための帯状の上辺パネル２２ｃが縫着されている。下側パネル２２ａ、上側パネル２２ｂならびに上辺パネル２２ｃは、いずれもパワーネットのような伸縮性を有する布地にて構成されているので、これら３枚のパネル２２ａ，２２ｂ，２２ｃを縫着して得られる表布２２も、全体として伸縮性を有することになるが、全体的には縦方向よりも横方向の方が良く伸びるように地の目（布目）方向が設定されている。また、表布２２は１枚の伸縮性布地で形成してもよいが、２重或いはそれ以上の多重にしてもよく、その場合でも全体的には縦方向よりも横方向の方が良く伸びるように構成されている。勿論、その逆でも良いし、上下・左右均等な伸縮性を持つようにしてもよい。
【００２５】
表布２２の裏面側には、椀状の裏布２４が表布２２の凹湾曲面に沿うようにして設けられている（図２参照）。裏布２４は、バストの上側を覆う帯状の上側裏布片２４ａ、バストの下側であって胸元側を覆う扇型の下側第一裏布片２４ｂならびにバストの下側であって脇側を覆う扇型の下側第二裏布片２４ｃにより構成されており、これら３つの裏布片２４ａ〜２４ｃを互いに縫着することによって裏布２４が形成されることになる。
【００２６】
上側裏布片２４ａ、下側第一裏布片２４ｂならびに下側第二裏布片２４ｃは、いずれも肌触りが良く、吸湿性に優れ、伸縮性を有する木綿にて構成されているので、これら３枚の裏布片２４ａ〜２４ｃを縫着して得られる裏布２４をバストに直接接触させたときの肌触りは良好なものとなる。また、裏布２４が全体として伸縮性を有するので、表布２２の裏面側に裏布２４を設け、両者をその周囲で縫着することにより形成されたカップ１２も全体として伸縮性を有することになる。上側裏布片２４ａは、横方向よりも縦方向の方が良く伸びるように地の目方向が設定されている。反対に、下側第一裏布片２４ｂならびに下側第二裏布片２４ｃは、縦方向よりも横方向の方が良く伸びるように地の目方向が設定されている。
【００２７】
なお、本実施例では、下側第１裏布片２４ｂと下側第二裏布片２４ｃとの重ね合わせ部２４ｄを縫着せず非縫着部とすることで、この非縫着部２４ｄから図示しないパッドを必要に応じて挿入して、バストの形状を適宜補正できるようになっている（つまり、非縫着部２４ｄがちょうどパッドを収納するポケットのような役目を果たすことになる。）。
【００２８】
土台布１４は、カップ１２を支持する土台となる帯状部材であり、カップ１２の表布２２と同様、パワーネットのような伸縮性を有する布地によって形成されている。
【００２９】
なお、土台布１４も１枚の伸縮性布地で形成してもよいが、２重或いはそれ以上の多重にしてもよいし、全体的には縦方向よりも横方向の方が良く伸びるように構成されている。勿論、その逆でも良いし、上下・左右均等な伸縮性を持つようにしてもよい。
【００３０】
土台布１４の上辺（カップ１２が取り付けられる側の辺）には、凹湾曲した２個のカップ対応縁１４ａが左右対称にて左右に並んで設けられており、各カップ対応縁１４ａに各カップ１２が後述するメッシュテープ１８を介してそれぞれ取り付けられている。また、土台布１４の左右両端部には、バック布１６がそれぞれ縫着されている。
【００３１】
バック布１６は、カップ１２の表布２２や土台布１４と同様、伸縮性を有する布地からなる帯状の部材であり、バック布１６の上縁には、後述する肩紐２０の他端側がそれぞれ取り付けられている。
【００３２】
メッシュテープ１８は、カップ１２の下部外周縁（より詳しく言えば、カップ１２の下部から脇側側方上部にかけての部分）１２ａ及び土台布１４のカップ対応縁１４ａとにそれぞれ縫合されて両者を間接的に接続するものであり、細径で伸縮性を有する複数本の細紐を長手方向に伸びた菱形格子状に編んで形成した細長帯状の伸縮性メッシュ部分１８ａと、伸縮性メッシュ部分１８ａの長手方向両側端部（長辺側）に縫着されている紐状の接続部分１８ｂ，１８ｃとで大略構成されている。
【００３３】
伸縮性メッシュ部分１８ａの各格子は、図１の円内に示すように、その長い方の対角線がメッシュテープ１８の長手方向に沿うように、すなわち、長手方向方向に伸びた菱形格子状に形成されている。ここで、各格子は、短手短方向には伸び易いが長手方向には伸び難いため、メッシュテープ１８全体として見たときには、短手方向Ａの伸縮性（伸縮率）が長手方向Ｂの伸縮性（伸縮率）よりも大きくなっている。
【００３４】
各接続部分１８ｂ，１８ｃは、ある程度の伸縮性を有する紐状のもので、カップ１２ならびに土台布１４との縫合部分として機能するものである。そして、上述したように、各接続部分１８ｂ，１８ｃは、カップ１２の下部外周縁１２ａと土台布１４のカップ対応縁１４ａとにそれぞれ縫合されているが、本実施例では、紐状の接続部分１８ｂ，１８ｃがその長手方向にジグザグに千鳥縫いにてカップ１２ならびに土台布１４に縫合されている。しかも、土台布１４との縫合部分の千鳥縫いの糸目が、カップ１２との縫合部分の糸目よりも多く設定されている。つまり、メッシュテープ１８におけるカップ１２側の接続部分１８ｂの長手方向の伸縮性に対して、土台布１４側の接続部分１８ｃの長手方向の伸縮性がより小さくなっており、紐状の接続部分１８ｃが長手方向にジグザグに土台布１４に縫合されていることとも相俟って土台布１４側の接続部分１８ｃの強度がより高められて、ソフトではあるがワイヤー的な役目を果たすようになる。
【００３５】
なお、土台布１４側の接続部分１８ｃの長手方向の伸縮性を小さくする方法としては、上述した糸目を多くする方法に限定されるものではなく、たとえば、土台側１４の縫合線を２重や３重或いはそれ以上にしたり、縫製方法をより頑丈なものにするなど、周知技術を適宜採用することができる。
【００３６】
また、土台布１４側の接続部分１８ｃについて言えば、本実施例では、その中央部分１８ｃイの糸目よりも両側の脇側部分１８ｃロならびに胸側部分１８ｃハの糸目の方が多く設定されているので、中央部分１８ｃイの伸縮率に対して脇側部分１８ｃロならびに胸側部分１８ｃハの伸縮率が小さく（伸びにくく）なっている。
【００３７】
肩紐２０は、カップ１２の位置ずれを防止するとともにカップ１２に収納されたバストを持ち上げて保持するものであり、各肩紐２０の一端がメッシュテープ１８の上端部に接続されており、他端が対応するバック布１６の上側縁にそれぞれ接続されている。
【００３８】
以上のように構成されたブラジャー１０を着用する際には、ブラジャー１０を頭から被り、両腕を肩紐２０の横から外へ出す。そして、左右のカップ１２にバストを収容しつつ、メッシュテープ１８の土台布１４側の接続部分１８ｃをバージスラインに沿わせて美しいバストラインを形成する。
【００３９】
カップ１２内にバストを収容すると、全体として伸縮を有するカップ１２がバスト形状に合わせて伸び縮みするので、左右のバストサイズの大きさの違いに関係なくカップ１２がバストにピッタリとフィットする（図３参照）。つまり、バストとカップ１２との間で微妙なずれが生じることがないので、長時間の着用でもフィット感を損なうことがないし、まるでオーダーメイド品のような付け心地感を得ることができる。
【００４０】
また、バージスラインに沿って配置した土台布１４側の接続部分１８ｃは、カップ１２側の接続部分１８ｂよりも縫製時の糸目を多くすることによって強度が高められており、「剛性」と「しなやかさ」とを併有することになる。つまり、接続部分１８ｃの持つ「剛性」によって、バージスラインにしっかりとした括れを形成することが可能になる（補整効果）とともに、その「しなやかさ」によって肌当たりがソフトとなり、ワイヤータイプのブラジャーのような肌への食い込みによる苦痛を伴うこともない。
【００４１】
また、接続部分１８ｃは、その中央部分１８ｃイよりも脇側部分１８ｃロならびに胸側部分１８ｃハの方が伸び難くなっているので、脇の下や鳩尾部分の肉をカップ１２内に収容してバストを作った後、カップ１２内の肉がカップ１２の外側に流れるのを防止することができる。
【００４２】
また、カップ１２部分の伸びだけではバストを十分にカップ１２内に収容できない場合であっても、メッシュテープ１８が短手方向Ａに伸びることにより、バスト全体を周囲から包み込んで収容できる。たとえば、Ｍサイズのブラジャーの場合（アンダーバスト７０に相当）、カップ１２部分の伸びによりＡカップ〜Ｂカップの範囲のバストを収容でき（図３参照）るが、メッシュテープ１８が短手方向Ａに伸びることにより、さらにＣカップまでの大きさのバストを収容することが可能となる（図４参照）。
【００４３】
このように、カップ１２の伸縮性と、カップ１２の下縁に設けられているメッシュテープ１８の短手方向Ａへの伸びとの協働作用によって、より幅広いバストサイズのバストをカップ１２内に収容できる、しかも、カップ１２をバストにピッタリフィットさせることができるので、従来のようにブラジャーのサイズをカップサイズに合わせて細かく設定する必要はなく、在庫管理の容易化、ひいてはコストダウンに寄与することとなる。なお、本実施例のブラジャーでは、Ｓ、Ｍ、Ｌ、ＬＬというたった４種類のサイズ展開だけでＡ６５〜Ｃ８５までの非常に幅広いバストサイズに対応している。
【００４４】
また、本実施例のブラジャー１０は、上述したようにノンワイヤータイプであることから、ワイヤータイプのブラジャーのようにワイヤーがバージスラインに食い込んで苦痛を伴うこともないし、しかも、長時間の着用によりバストが上下左右に揺すられることがあっても、メッシュテープ１８がちょうどハンモックのようにある程度の柔軟性をもってバストを包み込み保持するので、メッシュテープ１８における土台布１４との接続部分１８ｃはバージスラインに沿った状態のまま（換言すれば、土台布１４との接続部分がバージスラインの括れを明確に形成してその状態を保ったまま）位置ずれすることはなく、カップ１２のずり上がりを防止できる（補整効果）。つまり、ノンワイヤーでありながら、長時間にわたってバスト形状を美しく保持することが可能になる。更に、カップ１２の下縁全体にメッシュテープ１８を縫着することにより通気性を高め、バージスライン近傍での発汗を抑制して快適な付け心地を現出する。
【００４５】
さらに、メッシュテープ１８の伸縮性は、長手方向Ｂに比べて短手方向Ａがより大きく設定されているので、肩紐２０でバストを吊り上げたときに、長手方向Ｂに伸びの小さなメッシュテープ１８によってカップ１２の吊り上げ効果が発揮されると同時に、バストを包むカップ１２の下部外周縁はメッシュテープ１８により前に迫り出すように伸びて自然な丸いバストを演出できる。
【００４６】
なお、上述の実施例では、左右一対のカップを有する婦人下着としてブラジャーをその一例として取り上げたが、左右一対のカップを有する婦人下着であれば、例えば図５に示すようなカップ１２から下の部分の丈を長くしたキャミソール１０’のようなものであってもよい。
【００４７】
本実施例にかかるキャミソール１０’は、左右一対のカップ１２と、前身頃布１４’と、後身頃布１６’と、メッシュテープ１８と、肩紐２０とで大略構成されている。なお、以下には、上述実施例と異なる部分のみを説明し、共通部分については、上述実施例の記載を援用する。
【００４８】
前身頃布１４’は、カップ１２を支持するとともに腹部を引き締めるための布材であり、全体がパワーネットのような伸縮性を有する布地によって形成されている。この場合も1枚の伸縮性布地で形成してもよいが、その腹部を中心として体の前面部分（カップ１２下縁側からその裾縁および両体側にかけての部分で、概略、鼠径部から大腿部前面を覆う部分を除く。）を覆う腹部布３０を２重或いはそれ以上の多重にしてもよいし、この場合も全体的には横方向よりも縦方向の方が良く伸びるように構成されている。勿論、その逆でも良いし、上下・左右均等な伸縮性を持つようにしてもよい。
【００４９】
前身頃布１４’の上辺（カップ１２が取り付けられる側の辺）には、凹湾曲した２個のカップ対応縁１４ａ’が左右対称にて左右に並んで設けられており、各カップ対応縁１４ａ’に各カップ１２が後述するメッシュテープ１８を介してそれぞれ取り付けられている。また、前身頃布１４’の左右両端部には、後身頃布１６’がそれぞれ縫着され、全体として管状となっている。
【００５０】
後身頃布１６’は、背中を引き締めるための布材であり、前身頃布１４’と同様、伸縮性を有する布地によって形成されている。この場合は、１枚の伸縮性布地で形成されており、全体的には、横方向よりも縦方向の方が良く伸びるように構成されている。なお、必要に応じて２重或いはそれ以上の多重にしてもよい。伸縮性は、上下・左右均等な伸縮性を持つようにしてもよいし、横方向よりも縦方向の方が良く伸びるように構成しても良い。
【００５１】
以上のように構成された婦人下着（キャミソール）１０’においても、上述実施例と同様の作用効果を得ることができる。
【符号の説明】
【００５２】
１０…婦人下着（ブラジャー）
１０’…婦人下着（キャミソール）
１２…カップ
１４…土台布
１４’…前身頃布
１６…バック布
１６’…後身頃布
１８…メッシュテープ
２０…肩紐
【図１】
2010275660.tif 000003
【図２】
2010275660.tif 000004
【図３】
2010275660.tif 000005
【図４】
2010275660.tif 000006
【図５】
2010275660.tif 000007